(57)【要約】【課題】握り棒部の一方の端の側面に設置されたゴルフボールが、握り棒部の動きに連動して回転自在に動き、また該ゴルフボールを容易に交換しことにより、衛生的で且つ、個人個人の要求を満たし、肌を傷つける恐れがなくマッサージ効果をあげることを可能とする、手動式マッサージ具。【解決手段】中央部にくびれのある略円筒形状の握り棒部の先端側面部分にゴルフボールの装着穴部を設け、装着穴部に、表面に楕円形状の溝を有するゴルフボールを半球部未満が外方に突出する状態で、リングを締めて回転自在に装着する。【選択図】図１
0003164373.tif 000002
【実用新案登録請求の範囲】
【請求項１】
握り易い略円筒形状の握り棒部の一方の先端の側面に、表面に楕円形状の溝を有するゴルフボールを半球部未満の外方突出状態で回転自在に装着してなる、手動式マッサージ具であって、
前記手動式マッサージ具は、ゴルフボール部と、前記ゴルフボールを入れる装着穴部と、前記装着穴部に前記ゴルフボールを入れた状態でネジを締めて装着するリング部と、前記握り棒部と、を有し、
前記ゴルフボールの脱着を容易にできるように、前記装着穴部および前記リング部はそれぞれネジ部を有し、
前記装着穴部は、前記ゴルフボールを入れて前記リング部の前記ネジを締めた状態で前記ゴルフボールが抜け落ちない程度の形状と大きさを有し、
前記握り棒部は握り易いように中間くびれ部を有することを特徴とする手動式マッサージ具。
【請求項２】
請求項１に記載の手動式マッサージ具において、
前記握り棒部の前記中間くびれ部は、前記握り棒部の長手方向の中心軸に直交する断面が楕円形であって、該楕円の長軸は略３．５センチメートルであることを特徴とする手動式マッサージ具。
【考案の詳細な説明】
【技術分野】
【０００１】
本考案は、ゴルフボールを握り易い形状の握り棒の一方の端に脱着自在に装着された状態で、該握り棒を動かすことにより回転自在にゴルフボールが動き、肌を傷つける恐れがなく高いマッサージ効果を期待できる手動式マッサージ具に関する。
【背景技術】
【０００２】
近年、生活水準の向上と健康志向の普及に伴い、体のマッサージや美顔に興味を持つ人が増加している。
【０００３】
それに伴い市場には電動式または手動式のさまざまなタイプのマッサージ器具が供給されており、使用目的に拠って選択することが可能となってきた。
【０００４】
しかしながら、安価でかつ安全性と機能性を兼ね備えた商品はまだ少ない。従って、安全性と機能性を兼ね備えた商品が安価で手に入れば、家庭でも気軽に利用できて有用である。
【０００５】
そこで考案者は、ゴルフボールを利用してシンプルな外観の手動式マッサージ具であって、安価かつ安全性と機能性を有する手動式マッサージ具を考案した。
【先行技術文献】
【特許文献】
【０００６】
【特許文献１】平―５８３６
【考案の概要】
【考案が解決しようとする課題】
【０００７】
本考案は、マッサージ用として適度な硬度と凹凸を有し、凹凸の程度の異なるゴルフボールを、脱着自在にマッサージ具本体に装着することにより衛生的（ゴルフボールが容易にとりはずすことにより、ゴルフボールの洗浄が容易であり、また他人の肌に触れたゴルフボールを特定の個人専用のゴルフボールに交換できることにより衛生度を向上させ得る）であって、かつ該ゴルフボールが回転自在に動くことにより快適なマッサージ効果を発揮し得るマッサージ具を提供することを目的とする。なお、凹凸は通常はゴルフボールに設置される楕円形の溝により構成される。
【課題を解決するための手段】
【０００８】
請求項１に記載された考案は、握り易い円筒形状の握り棒部の一方の先端の側面に、表面に楕円形状の溝を有するゴルフボールを半球部未満の外方突出状態で回転自在に装着してなる、手動式マッサージ具であって、
前記手動式マッサージ具は、ゴルフボール部と、前記ゴルフボールを入れる装着穴部と、前記装着穴部に前記ゴルフボールを入れた状態でネジを締めて装着するリング部と、前記握り棒部と、を有し、
前記ゴルフボールの脱着を容易にできるように、前記装着穴部および前記リング部はそれぞれネジ部を有し、
前記装着穴部は、前記ゴルフボールを入れて前記リング部の前記ネジを締めた状態で前記ゴルフボールが抜け落ちない程度の形状と大きさ（主に前記リング部の直径と前記リング部の厚み）を有し、
前記握り棒部は握り易いように中間くびれ部を有することを特徴とする。
【０００９】
請求項２に記載された考案は、請求項１に記載の手動式マッサージ具に係り、
前記握り棒部の前記中間くびれ部は、前記握り棒部の長手方向の中心軸に直交する断面が楕円形であって、該楕円の長軸は略３．５センチメートルであることを特徴とする。
【考案の効果】
【００１０】
本考案による手動式マッサージ具によれば、脱着自在にゴルフボールを装着できることにより、ゴルフボールの交換が容易であって衛生的であり、また、本考案の手動式マッサージ具を使用してマッサージを行う際にゴルフボールが回転自在に動くことにより、肌を傷つけることなくマッサージ効果が高まり、安全、快適で有効なマッサージを実施可能である。
【図面の簡単な説明】
【００１１】
【図１】本考案に係る手動式マッサージ具の構成を示す説明用斜視図である。
【図２】本考案の手動式マッサージ具の説明用概略正面図である。
【図３】本考案の手動式マッサージ具のリング部の構成を示すための説明用Ａ―Ａ切断線断面図である。
【考案を実施するための形態】
【００１２】
本考案は、日常手に入り易くマッサージ効果の高いゴルフボールを利用して、使用者が容易にゴルフボールを交換でき、また使用中にゴルフボールが回転自在に動くことで心地よいマッサージ効果を提供し得る、手動式マッサージ具に係るものである。以下図面に基づいて、本考案に係る手動式マッサージ具の実施の形態を説明する。
【実施例１】
【００１３】
図１は、本考案に係る手動式マッサージ具の構成を示す説明用斜視図である。
【００１４】
図１に示された本考案に係る手動式マッサージ具は、脱着可能なゴルフボール部と、握り易く力が入り易いように中間部分のくびれた略円筒形状を有する握り棒部と、該ゴルフボールを入れる装着穴部と、該装着穴部に該ゴルフボールを入れた状態でネジを締めて装着するリング部と、を有する。
【００１５】
図１において、１１０は手で握ってマッサージするための握り棒部であり、１２０はゴルフボールを装着するための装着穴部であり、装着穴部１２０は握り棒部１１０の一方の端付近の側面に作成され、１３０はゴルフボール部であり、球面の表面に楕円形状の溝を有するゴルフボールである。１４０は装着穴部１２０にゴルフボール１３０を入れた状態でネジを締めて装着するリング部である。装着穴部１２０とリング部１４０にはそれぞれオス・メスのネジが設けられているために、ゴルフボール１３０は容易に握り棒部の装着穴部１２０に脱着することが可能である。
【００１６】
握り棒部１１０は、握り易くまたマッサージを実施する際に力が入り易いように略円筒形状であって、中央部分にくびれを有する。１１１は握り棒部１１０の中央部分に設けられるくびれ部分である。握り棒部１１０の大きさは、女性の手でも握り易く使い易いように握り棒本体のもっとも太い部分の直径が略5センチメートル以内である。またくびれ部分１１１は握り棒本体の長手方向の中心軸に対し直交する断面が楕円形であって、握り棒本体の幅に相当する部分が該楕円の長軸であり、握り棒本体の厚みに相当する部分が該楕円の短軸であって、該楕円形の大きさは長軸略３．５センチメートル、短軸略３センチメートルが適当である。ただし握り棒部１１０およびくびれ部分１１１の大きさは、使用者の手の大きさやマッサージの部位によっても異なりこれに限定されるものではない。
【００１７】
図１において、装着穴部１２０はネジ部分１２１を有し、一方リング部１４０もネジ部分１４１を有する。両者のネジを締めることによってゴルフボール１２０は装着穴部１２０に装着できる。また、装着穴部１２０は、ゴルフボール１３０を入れリング部１４０のネジを締めた状態でゴルフボール１３０が抜け落ちない程度の形状と大きさを有する。
【００１８】
ゴルフボール１３０は硬質ボールの表面に楕円形状の溝１３１を有するが、溝の形状等はボールにより異なるため、本考案のマッサージ具は使用する個人がマッサージ効果に合わせて好みのボールを選択できるので便利である。なお、図１に示す溝１３１は例示であって形状等はこれに限定されるものではない。
【００１９】
ゴルフボール１３０は、リング部１４０のネジを締めた状態ではゴルフボールの半球部未満が外方に突出している状態で回転自在に装着される。従ってゴルフボール１３０はリング部１４０のネジを締めた状態で、ゴルフボール１３０の半球部以上が装着穴部の中に収まり、マッサージ中に回転しても装着穴部１２０から抜け落ちる恐れはなく、使用者は安全に使用できる。また、リング部１４０をとりはずすことにより、容易にゴルフボールを交換できる。なお、図１に示す装着穴部１２０の形状および大きさは例示であってこれに限定されない。
【００２０】
本考案の手動式マッサージ具の特徴は、握り易くまたマッサージを行う際に力が入り易く使い易いシンプルな形状である点と、該形状の器具を安価に製造できる点と、ゴルフボールが容易に脱着できて衛生的に使用できる点と、マッサージ中に該ゴルフボールが回転自在に動くことにより、肌を傷つけることなく安全でかつ高いマッサージ効果が期待できる点にある。
【００２１】
図２は、本考案の手動式マッサージ具の説明用概略正面図である。
【００２２】
ゴルフボール部１３０は、図１に示すように握り棒部１１０の一方の端の側面に設けられた装着穴部１２０に装着されるが、図２に示すように、本考案の手動式マッサージ具を正面から見た場合、握り棒部１１０の長手方向の中心軸上の先端に、外方に突出しているゴルフボールの正面側が配置される。図２に示すように、マッサージ動作中にゴルフボール部１３０が皮膚と接する面は、握り棒部１１０の長手方向の中心軸を含み縦に切った面と略平行になることにより、マッサージ具を握って動かしている腕に無駄な力がかかり難いため、効果的にマッサージすることができる。
【００２３】
図３は本考案の手動式マッサージ具のリング部の構成を示すための説明用Ａ―Ａ切断線断面図である。
【００２４】
１２１は装着穴部１２０に設けられるネジ部であり、１４１はリング部１４０に設けられるネジ部である。握り棒部１１０の一方の端付近の側面に作成された装着穴部１２０にゴルフボール部１３０を入れた後、リング部１４０を嵌め込み、ネジ部１２１と１４１を締めて装着する。図３に示すように、ゴルフボール１３０は装着穴部１２０に入れリング部１４０のネジ１４１を締めた状態で半球部未満が外方に突出している状態となるため、回転自在であっても装着穴部１２０穴から抜け落ちる恐れはない。
【産業上の利用可能性】
【００２５】
本考案により、使用者は好みのゴルフボールをマッサージ具本体に着脱自在に装着できることにより、衛生的かつ利便性を有し、該ゴルフボールはマッサージ具本体の動きに伴い回転自在に動くことにより、安全で有効なマッサージ具を安価に提供できる。
【符号の説明】
【００２６】
１１０      握り棒部
１１１      握り棒部１１０の中央部分に設けられるくびれ部分
１２０      ゴルフボールを装着するための装着穴部
１２１      装着穴部１２０のネジ部分
１３０      ゴルフボール部
１３１      ゴルフボール表面の溝
１４０      リング部
１４１      リング部のネジ部分

【図１】
0003164373.tif 000003
【図２】
0003164373.tif 000004
【図３】
0003164373.tif 000005